(57)【要約】【課題】  スポット残りを防止することができるテレビ受像機であって、回路構成やマイコンの制御手順が複雑とならないものを提供することである。【解決手段】  テレビ受像機２０は、陰極線管に動作電圧を供給するフライバックトランス１５と、テレビ受像機２０の動作を制御する制御用マイコンを備えている。フライバックトランス１５内に設けられる内部トランス１の二次側出力部１ｂは高電圧端子１ｃを備えており、高電圧端子１ｃには高電圧側線路７及び１７が接続されている。高電圧側線路１７は陰極線管のアノードに接続される。  高電圧側線路１７と接地との間に、制御用マイコンによってオン、オフが制御されるアノード接地用スイッチング手段１０を設ける。そして、制御用マイコンは、電源オフを検出すると、アノード接地用スイッチング手段１０をオンにする。これにより、陰極線管のアノードがアノード接地用スイッチング手段１０を介して接地される。【選択図】  図１ 
2005064884.tif 000002
【特許請求の範囲】
【請求項１】
カソードとアノードを有し、アノード側が相対的に正電圧となる高電圧が前記アノード及びカソード間に印加されて動作する陰極線管と、
前記陰極線管のアノード及びカソードに接続され、該アノード及びカソード間に前記高電圧を印加するフライバックトランスとを備えるテレビ受像機であって、
当該テレビ受像機の動作を制御する制御用マイコン及び当該テレビ受像機の電源をオン、オフするための電源スイッチを有しており、
前記フライバックトランスにより前記陰極線管に動作電圧を供給する動作電圧供給系統において前記陰極線管のアノードに接続される高電圧側線路のいずれかの部分と接地との間にアノード接地用スイッチング手段が設けられており、
前記アノード接地用スイッチング手段は、前記制御用マイコンによりオン、オフが制御されるとともに、前記アノード接地用スイッチング手段がオンされると前記高電圧側線路を接地するようにされており、
前記テレビ受像機が電源オフされると、前記制御用マイコンが前記アノード接地用スイッチング手段をオンし、前記陰極線管のアノードに接続される高電圧側線路が接地されるように構成されたテレビ受像機。
【請求項２】
前記フライバックトランスがその本体ケース内に設置される内部トランスを備えており、
前記内部トランスは一次側入力部及び二次側出力部を備え、前記二次側出力部が前記陰極線管のアノードに接続され該アノードに高電圧を供給する高電圧端子を備えており、
前記アノード接地用スイッチング手段が、前記内部トランスの二次側出力部の高電圧端子に接続される前記高電圧側線路のうち、前記フライバックトランスの本体ケース内に配設される部分のいずれかの部位に接続されることを特徴とする請求項１に記載のテレビ受像機。
【請求項３】
前記アノード接地用スイッチング手段は、リレーコイル及びリレースイッチを有するリレースイッチング素子と、オン、オフに応じて前記リレースイッチのオン、オフを制御するリレー制御トランジスタとを備え、
前記リレースイッチは、前記高電圧側線路と接地との間に接続され、該リレースイッチがオンされることにより前記高電圧側線路を接地するように設けられており、
前記リレー制御トランジスタは、前記制御用マイコンによりオン、オフが制御されるように設けられており、
前記制御用マイコンが電源オフする操作を検出すると、前記リレー制御トランジスタをオンにすることにより、前記リレースイッチがオンにされて前記高電圧側線路及び陰極線管のアノードを接地するように構成された請求項１又は２に記載のテレビ受像機。
【発明の詳細な説明】
【技術分野】
【０００１】
本発明は、スポット残りを防止することができるテレビ受像機に関する。
【背景技術】
【０００２】
テレビ受像機は、陰極線管やフライバックトランス、クロマＩＣ、制御用マイコンを備えている。陰極線管は、入力された映像信号に基づく映像を表示する動作を行う。
【０００３】
フライバックトランスは、陰極線管を動作させるための高電圧を供給する。クロマＩＣは、入力された映像信号を色信号からなる映像信号とする。そして、クロマＩＣで処理された映像信号は陰極線管に出力される。また、制御用マイコンは、テレビ受像機の動作を制御する。
【０００４】
ところで、テレビ受像機の電源をオフして動作を停止させようとすると、いわゆるスポット残りと呼ばれる稲妻状の発光が陰極線管の画面に現れることがある。即ち、陰極線管には高電圧が印加されていたため、残存する電荷等の影響により、電源オフした後に画面の発光を生ずることがある。
【０００５】
このような、電源オフした後の画面の発光は、見た目に悪く視聴者に不快な印象を与える。従って、従来のテレビ受像機には、このスポット残りを防止するための手段が設けられたものがある（例えば、特許文献１参照）。
【０００６】
従来のテレビ受像機に採用されるスポット残りを防止するための手段について、図４、図５に基づいて説明する。図４は、従来のテレビ受像機５０の回路を示しており、陰極線管５１のカソード５２に接続される回路を示している。
【０００７】
図４に示されるテレビ受像機５０には、スポット残りを防止するためのスポット残り防止回路５３が設けられている。このスポット残り防止回路５３は、三種の映像信号（Ｒ、Ｇ、Ｂ）が各々に入力されるカソード５２の三つの各々に設けられている。
【０００８】
また、図５は、テレビ受像機５０を電源オフした時の制御用マイコンが出力する制御信号のタイミングチャートを示している。図５において、横方向は時間の経過を表しており、縦方向は各部の動作の基準となる信号のオン、オフを表している。
【０００９】
図５において、（Ｃ−１）は、テレビ受像機５０が電源オフされた時に制御用マイコンが電源オフを検出するタイミングを示している。テレビ受像機５０がＳ１１の時点で電源オフされると、この時点でほぼ遅れなく制御用マイコンは電源オフを検出する。
【００１０】
（Ｃ−２）は、制御用マイコンが陰極線管５１に白背景画像を表示させるための信号をクロマＩＣに出力するタイミングを示している。制御用マイコンは、Ｓ１１の時点から時間Ｐ１１の間、白背景画像を表示させるための信号を出力している。
【００１１】
この白背景画像は、三つの色信号（Ｒ、Ｇ、Ｂ）の各々の輝度を最大として陰極線管５１に表示することを内容としている。陰極線管５１にこの白背景画像を表示させることにより、陰極線管５１に蓄えられている電荷を放電させスポット残りを防止することができる。
【００１２】
また、制御用マイコンは、Ｓ１１の時点で電源オフを検出すると、スポット残り防止回路５３のトランジスタ５４を導通状態とする信号を出力し、スポット残り防止回路５３を動作させる。
【００１３】
（Ｃ−３）は、制御用マイコンがクロマＩＣに出力する信号のタイミングを示しており、クロマＩＣの動作を制御するタイミングを示している。制御用マイコンは、（Ｃ−３）に示されるように、Ｓ１２の時点までクロマＩＣを制御するための信号を出力している。これにより、Ｓ１２の時点まで、クロマＩＣより陰極線管に水平パルスが出力され、陰極線管において水平走査が行われる。
【００１４】
（Ｃ−４）は、制御用マイコンが出力するフライバックトランスを停止させる動作停止信号のタイミングチャートを示している。制御用マイコンは、（Ｃ−４）に示されるように、Ｓ１２の時点でフライバックトランスに動作停止信号を出力する。
【００１５】
図５において時間Ｐ１２は、制御用マイコンが電源オフする操作を検出してから、クロマＩＣ、フライバックトランス及び陰極線管５１の動作が停止するまでの完全停止待ち時間にあたる。
【００１６】
図５のタイミングチャートに示されるように、テレビ受像機５０では電源オフする操作がされた後においても、クロマＩＣとフライバックトランスを動作させて陰極線管５１に白背景画像を表示させる。即ち、陰極線管５１に白背景画像を表示することにより、陰極線管５１に蓄えられた電荷をできるだけ放電させ、スポット残りを防ぐようにしている。
【特許文献１】特開平２００１−１１９５９９号公報
【発明の開示】
【発明が解決しようとする課題】
【００１７】
ここで、従来のテレビ受像機５０においては、スポット残りを防止するための回路５３は陰極線管５１の三つのカソード５２の各々に対応させて設けられており、回路構成が複雑であった。
【００１８】
また、制御用マイコンは、電源オフする操作を検出して一定時間Ｐ１２が経過した後にクロマＩＣやフライバックトランスを停止させなければならず、複雑な制御手順を実行しなければならなかった。
【００１９】
そこで、本発明は、回路の構成や制御用マイコンの制御手順を複雑化させることなく、スポット残りを防止することができるテレビ受像機を提供することを目的とする。
【課題を解決するための手段】
【００２０】
上記課題を解決するため、本発明は、カソードとアノードを有し、アノード側が相対的に正電圧となる高電圧が前記アノード及びカソード間に印加されて動作する陰極線管と、
前記陰極線管のアノード及びカソードに接続され、該アノード及びカソード間に前記高電圧を印加するフライバックトランスとを備えるテレビ受像機であって、
当該テレビ受像機の動作を制御する制御用マイコン及び当該テレビ受像機の電源をオン、オフするための電源スイッチを有しており、
前記フライバックトランスにより前記陰極線管に動作電圧を供給する動作電圧供給系統において前記陰極線管のアノードに接続される高電圧側線路のいずれかの部分と接地との間にアノード接地用スイッチング手段が設けられており、
前記アノード接地用スイッチング手段は、前記制御用マイコンによりオン、オフが制御されるとともに、前記アノード接地用スイッチング手段がオンされると前記高電圧側線路を接地するようにされており、
前記テレビ受像機が電源オフされると、前記制御用マイコンが前記アノード接地用スイッチング手段をオンにし、前記陰極線管のアノードに接続される高電圧側線路が接地されるように構成されたテレビ受像機である（請求項１）。
【００２１】
本発明のテレビ受像機によると、該テレビ受像機が電源オフされると、前記アノード接地用スイッチング手段により陰極線管のアノードを接地することにより、陰極線管のスポット残りを防止することができる。
【００２２】
これにより、本発明のテレビ受像機によると、従来のテレビ受像機で陰極線管のカソードに接続されたスポット残りを防止する回路を設ける必要がない。
【００２３】
また、本発明のテレビ受像機にあっては、制御用マイコンは、電源オフを検出すると、直ちにクロマＩＣやフライバックトランスの動作を停止させることができる。これにより、制御用マイコンは、従来のテレビ受像機のようにスポット残りを防止するための複雑な制御手順を実行する必要がない。
【００２４】
また、前記テレビ受像機が、前記フライバックトランスがその本体ケース内に設置される内部トランスを備え、
前記内部トランスが一次側入力部及び二次側出力部を備え、前記二次側出力部が前記陰極線管のアノードに接続され該アノードに高電圧を供給する高電圧端子を備えるものである場合に、
該テレビ受像機の前記アノード接地用スイッチング手段を、前記内部トランスの二次側出力部の高電圧端子に接続される前記高電圧側線路のうち、前記フライバックトランスの本体ケース内に配設される部分のいずれかの部位に接続することができる（請求項２）。
【００２５】
この発明によると、アノード接地用スイッチング手段をフライバックトランスの本体ケース内に設けるので、フライバックトランスの本体ケースによりアノード接地用スイッチング手段を収納できる。これにより、アノード接地用スイッチング手段を収納する専用のケーシングを必要とせず、アノード接地用スイッチング手段をコンパクトに収納できる。
【００２６】
また、前記アノード接地用スイッチング手段を、リレーコイル及びリレースイッチを有するリレースイッチング素子と、オン、オフに応じて前記リレースイッチのオン、オフを制御するリレー制御トランジスタとを備える構成とし、
前記リレースイッチを、前記高電圧側線路と接地との間に接続し、該リレースイッチがオンされることにより前記高電圧側線路を接地するように設け、
前記リレー制御トランジスタを、前記制御用マイコンによりオン、オフが制御されるように設け、
前記制御用マイコンが電源オフする操作を検出すると、前記リレー制御トランジスタをオンにすることにより、前記リレースイッチがオンにされて前記高電圧側線路及び陰極線管のアノードを接地するように構成することができる（請求項３）。
【００２７】
この発明によると、以下の理由により、アノード接地用スイッチング手段の耐久性を高めることができる。陰極線管のアノードに接続され該アノードを接地するための回路には、高電圧が印加され、また大電流が導通する。
【００２８】
そして、この発明では、陰極線管のアノードを接地する回路をリレースイッチング素子のリレースイッチによりオン、オフするようにしており、このリレースイッチは高電圧や大電流に対する容量が大きいので、アノード接地用スイッチング手段の耐久性を高めることができる。
【発明の効果】
【００２９】
本発明は、以上説明したような形態で実施され、以下に記載されるような効果を奏する。本発明のテレビ受像機によると、アノード接地用スイッチング手段が設けられており、このアノード接地用スイッチング手段により陰極線管のアノードを接地し、陰極線管のスポット残りを防止する。
【００３０】
これにより、本発明のテレビ受像機によると、従来のテレビ受像機において陰極線管のカソードに接続されたスポット残りを防止する回路を設ける必要がない。これにより、スポット残りを防止するための回路を簡潔にすることができる。
【００３１】
また、本発明のテレビ受像機にあっては、制御用マイコンは、電源オフを検出すると、直ちにクロマＩＣやフライバックトランスの動作を停止させることができる。これにより、制御用マイコンは、電源オフを検出した後に、陰極線管に白背景画像を出力させる処理や、クロマＩＣやフライバックトランスを一定時間後に停止させる処理を行う必要がない。
【００３２】
これにより、本発明のテレビ受像機によると、制御用マイコンに複雑な制御手順を実行させることなく、スポット残りを防止することができる。
【発明を実施するための最良の形態】
【００３３】
本発明の実施の形態について、図１乃至図３に基づいて説明する。図１は、本発明の一実施形態であるテレビ受像機２０の一部の回路を示す図である。図１において、１５はテレビ受像機２０に組み込まれるフライバックトランスである。フライバックトランス１５の本体ケース内には、内部トランス１とアノード接地用スイッチング手段１０が設けられている。
【００３４】
内部トランス１は、一次側入力部１ａ及び二次側出力部１ｂを備えている。一次側入力部１ａは、図示されない電力供給源に接続されており、この電力供給源より所定の電力を供給されるようにされている。
【００３５】
また、一次側入力部１ａには、フライバックトランス１５の外部に設けられる入力制御トランジスタ１６が接続されている。入力制御トランジスタ１６は、パルス電圧によってオン、オフの動作が制御される。そして、内部トランス１の一次側入力部１ａには、前記電力供給源よりパルス状の電力が供給される。
【００３６】
内部トランス１の二次側出力部１ｂには、一次側入力部１ａ及び二次側出力部１ｂ間の変圧比と一次側入力部１ａに印加された電圧とに比例した電圧が出力される。二次側出力部１ｂでは、高電圧端子１ｃ及び低電圧端子１ｄより二次側電圧が出力される。高電圧端子１ｃは、低電圧端子１ｄに比べ相対的に高電圧を出力する。
【００３７】
高電圧端子１ｃには、高電圧線路７が接続されている。高電圧線路７は、フライバックトランス１５の本体ケース内に配設されている。高電圧線路７は、一方側の端部が高電圧端子１ｃに接続され、他方側の端部が後に説明するアノード用出力端子３に接続されている。この高電圧線路７は、図１に図示されない陰極線管のアノードに接続され該アノードに高電圧を供給するための高電圧側線路の一部を構成する。
【００３８】
高電圧線路７の一方側の端部の近傍には、ダイオード９が接続されている。ダイオード９は、高電圧端子１ｃから高電圧線路７に向かう方向が順方向となるように接続されている。ダイオード９は、トランス１の高電圧端子１ｃより出力された電圧のうち正電圧の部分を通過させる。
【００３９】
低電圧端子１ｄには、低電圧線路８が接続されている。低電圧線路８は、フライバックトランス１５の本体ケース内に配設されている。低電圧線路８は、一方側の端部が低電圧端子１ｄに接続されている。
【００４０】
低電圧端子１ｄより出力された電圧は、低電圧線路８を伝送され図示されない電圧調整回路によって所定の電圧に調整され、フォーカス（FOCUS）端子１２やスクリーン（SCREEN）端子１３に出力される。
【００４１】
低電圧線路８の一方側の端部の近傍には、ダイオード１１が接続されている。ダイオード１１は、低電圧端子１ｄより低電圧線路８に向かう方向が順方向となるように接続されている。ダイオード１１は、トランス１の低電圧端子１ｄより出力された電圧のうち正電圧の部分を通過させる。
【００４２】
アノード接地用スイッチング手段１０は、リレースイッチング素子５とリレー制御トランジスタ４を備えている。リレースイッチング素子５は、リレースイッチ５ａと、リレーコイル５ｂを備えている。
【００４３】
リレースイッチ５ａは、高電圧線路７と接地との間に接続されている。リレースイッチ５ａの一方の端子５ｃは、高電圧線路７に接続されている。リレースイッチ５ａの他方の端子５ｄは、抵抗Ｒ１を介して接地に接続されている。
【００４４】
リレースイッチ５ａの一方の端子５ｃと他方の端子５ｄとは、コンタクト要素５ｇの開閉によって開放され又は短絡される。コンタクト要素５ｇが閉じて一方の端子５ｃと他方の端子５ｄが短絡された状態が、スイッチ５ａがオンされた状態である。コンタクト要素５ｇが開いて一方の端子５ｃと他方の端子５ｄが開放された状態が、スイッチ５ａがオフされた状態である。
【００４５】
リレーコイル５ｂは、一方の端子５ｅが後に説明するリレー駆動入力用端子６に接続されている。リレーコイル５ｂの他方の端子５ｆは、後に説明するリレー制御トランジスタ４に接続されている。
【００４６】
図１には、リレー制御トランジスタ４をＮＰＮ型トランジスタを用いて構成する例が示される。リレー制御トランジスタ４は、ベース端子４ｂとエミッタ端子４ｅとコレクタ端子４ｃを備えている。ベース端子４ｂは、抵抗Ｒ２を介してスイッチング制御信号入力端子２に接続されている。エミッタ端子４ｅは接地に接続されている。コレクタ端子４ｃは、リレーコイル５ｂの他方の端子５ｆに接続されている。
【００４７】
スイッチング制御信号入力端子２には、トランジスタ４をオンさせるスイッチオン信号が入力される。スイッチング制御信号入力端子２に入力されたスイッチオン信号は、リレー制御信号入力端子２よりトランジスタ４のベース端子４ｂに入力される。
【００４８】
リレー制御トランジスタ４は、スイッチオン（ＯＮ）信号がベース端子４ｂに入力されると、導通状態（オン状態）となる。これにより、リレー制御トランジスタ４のコレクタ端子４ｃとエミッタ端子４ｅ間が導通状態となり、リレーコイル５ｂの一方の端子５ｅ及び他方の端子５ｆを通るリレー駆動電流が導通する。
【００４９】
以上に説明したリレースイッチング素子５は、以下のように動作する。リレー駆動コイル５ｂの一方の端子５ｅには、リレー駆動入力用端子６より所定の動作電圧が印加されている。
【００５０】
リレー制御トランジスタ４がオンされていない状態では、リレーコイル５ｂにリレー駆動電流を導通させることができない。この状態では、リレースイッチ５ａのコンタクト要素５ｇは開いており、スイッチ５ａはオフされている。
【００５１】
一方、リレー制御トランジスタ４がオンされると、リレー駆動入力用端子６からリレーコイル５ｂの一方の端子５ｅを通り他方の端子５ｆへ流れるリレー駆動電流が導通する。これにより、リレースイッチ５ａのコンタクト要素５ｇが閉じ、スイッチ５ａがオンされる。
【００５２】
次に、図１に示される端子３、６、２、１２、１３について説明する。アノード用出力端子３、リレー駆動入力用端子６、スイッチング制御信号入力端子２、フォーカス端子１２、スクリーン端子１３は、フライバックトランス１５の本体ケースに設置されている。
【００５３】
アノード用出力端子３は、陰極線管のアノードに供給される高電圧を出力する。アノード用出力端子３には、その一部が図示されているアノード用高電圧ケーブル１７が接続される。
【００５４】
アノード用高電圧ケーブル１７の一方の端部はアノード用出力端子３に接続されており、アノード用高電圧ケーブル１７の他方の端部は図１に図示されない陰極線管のアノードに接続されている。
【００５５】
フライバックトランス１５内に配設される高電圧線路７からアノード用出力端子３へ出力された高電圧は、アノード用高電圧ケーブル１７を通って陰極線管のアノードに供給される。
【００５６】
このアノード用高電圧ケーブル１７は、陰極線管のアノードに接続され陰極線管のアノードに高電圧を供給するための高電圧側線路の一部を構成する。
【００５７】
スイッチング制御信号入力端子２には、図示されない制御用マイコンより出力された前記スイッチオン信号が入力される。このスイッチオン信号は、リレースイッチング素子５のリレースイッチ５ａをオンするための制御信号である。
【００５８】
フォーカス端子１２及びスクリーン端子１３は、陰極線管に接続される図示されないテレビ基板上の対応する端子に各々接続されており、テレビ基板上のこれらの端子に動作信号を送信する。
【００５９】
フォーカス端子１２は、陰極線管に表示される映像のフォーカスを調整するための信号を出力する。スクリーン端子１３は、陰極線管の画面に表示する明るさを調整するための信号を出力する。
【００６０】
また、図１に一部が示されるテレビ受像機２０は、図１に図示されない陰極線管、電源スイッチ、制御用マイコン、映像信号処理回路（クロマＩＣ）、特定のチャンネルを受信するためのチューナの他、テレビ受像機として機能させるための公知の各部材を備えている。
【００６１】
テレビ受像機２０の陰極線管のアノードは、アノード用高電圧ケーブル１７が接続され、フライバックトランス１５より高電圧が供給される。また、テレビ受像機２０の陰極線管のカソードは、フライバックトランス１５により低電圧が供給される。
【００６２】
フライバックトランス１５内及びフライバックトランス１５と陰極線管のカソードとの間には、陰極線管のカソードに低電圧を供給するための図示されない低電圧供給系統が設けられている。そして、この低電圧供給系統を介して、フライバックトランス１５より陰極線管のカソードに低電圧が供給される。
【００６３】
そして、テレビ受像機２０の陰極線管は、フライバックトランス１５より出力された上記高電圧及び低電圧を動作電圧として供給されることにより、映像を表示する動作を行うことができる。
【００６４】
フライバックトランス１５、及びフライバックトランスより出力された電圧を陰極線管に伝送するためのアノード用高電圧ケーブル１７や低電圧供給系統は、動作電圧供給系統にあたる。
【００６５】
また、電源スイッチは、テレビ受像機２０の電源をオン、オフするためのものである。そして、テレビ受像機２０を使用するユーザが電源スイッチをオン、オフする操作に応じて、テレビ受像機２０が電源オン、オフされる。
【００６６】
電源スイッチには、テレビ受像機２０の本体に設けられる電源ボタンと、テレビ受像機２０を操作するための操作用リモコンに設けられる電源キーとがある。
【００６７】
そして、電源ボタンがオンされると、テレビ受像機２０は、商用電源より電力を供給され、フライバックトランス１５にも電力が供給されて動作を開始する。そして、電源ボタンがオンされた状態で電源キーをオフする操作がされると、テレビ受像機２０は、後に説明する電源オフ時の動作を行った後に、動作を停止する。
【００６８】
制御用マイコンは、テレビ受像機２０の動作を制御する。そして、制御用マイコンは、電源オフの操作がされたことを検出すると、スイッチオン信号を出力する。
【００６９】
また、制御用マイコンは、電源オフの操作がされたことを検出すると、フライバックトランス１５に動作停止信号を出力し、フライバックトランス１５の動作を停止させる。
【００７０】
なお、制御用マイコンは、テレビ受像機２０が商用電源に接続されていると、電源ボタンがオンされていない状態や電源キーがオフされた状態においては、一定の動作電圧を供給されて待機状態の動作を行っている。
【００７１】
次に、以上に説明したテレビ受像機２０の動作の例について説明する。テレビ受像機２０を商用電源に接続し、電源オンする。これにより、テレビ受像機２０は動作を開始し、陰極線管に映像を表示する動作を行う。
【００７２】
ここで、操作用リモコンの電源キーをオフし、テレビ受像機２０を電源オフする。テレビ受像機２０の制御用マイコンは、電源オフする操作がされたことを検出すると、スイッチオン信号を出力するとともに、フライバックトランス１５に動作停止信号を出力する。これにより、リレー制御トランジスタ４がオンされるとともに、フライバックトランス１５は動作を停止し動作電圧の出力を停止する。
【００７３】
そして、リレー制御トランジスタ４がオンされることにより、リレースイッチング素子５のリレースイッチ５ａがオンされる。これにより、フライバックトランス１５の本体ケース内の高電圧線路７、該高電圧線路７に接続されるアノード用高電圧ケーブル１７及び陰極線管のアノードが接地される。そして、陰極線管のアノードが接地されることにより、電源オフした後に陰極線管に電荷が残存することがなく、スポット残りが発生しない。
【００７４】
次に、図２に基づいて、テレビ受像機２０が電源オフされた時の制御用マイコンの動作等について説明する。図２は、制御用マイコンの動作等のタイミングチャートである。図２において、横方向は時間の経過を表しており、縦方向は信号のオン、オフ等を表している。
【００７５】
図２において、（Ａ−１）は、テレビ受像機２０が電源オフされた時に制御用マイコンが電源オフを検出するタイミングを示している。テレビ受像機２０がＳ１の時点で電源オフされると、この時点でほぼ遅れなく制御用マイコンは電源オフを検出する。
【００７６】
（Ａ−２）は、制御用マイコンがクロマＩＣに出力する信号のタイミングを示しており、クロマＩＣの動作を制御するタイミングを示している。制御用マイコンは、（Ａ−２）に示されるように、Ｓ１の時点までクロマＩＣを動作させる制御信号を出力している。そして、制御用マイコンは、Ｓ１の時点でクロマＩＣを動作させる制御信号の出力を停止する。これにより、クロマＩＣは、Ｓ１後に直ちに動作を停止する。
【００７７】
また、制御用マイコンは、Ｓ１の時点で、図２に示されないスイッチオン信号を出力する。これにより、リレー制御トランジスタ４がオンされ、リレースイッチング素子５のリレースイッチ５ａがオンされる。
【００７８】
（Ａ−３）は、リレースイッチ５ａがオンするタイミングを示している。スイッチオン信号は略Ｓ１の時点でリレー制御トランジスタ４に入力されるが、Ｓ１より一定時間経過した後のＳ２の時点でリレースイッチ５ａのコンタクト要素５ｇが閉じる。これにより、リレースイッチ５ａがオンされ、高電圧線路７が接地される。
【００７９】
（Ａ−４）は、制御用マイコンが出力するフライバックトランス１５を停止させる動作停止信号のタイミングチャートを示している。制御用マイコンは、（Ａ−４）に示されるように、Ｓ１の時点でフライバックトランス１５に動作停止信号を出力する。
【００８０】
このテレビ受像機２０の制御用マイコンは、電源オフに際して、スポット残りを防止するための白背景画像を陰極線管に出力する処理を行っていない。即ち、制御用マイコンは、前記白背景画像を陰極線管に出力するように、クロマＩＣを制御していない。
【００８１】
また、このテレビ受像機２０の制御用マイコンは、電源オフを検出した時点Ｓ１後直ちに、クロマＩＣやフライバックトランス１５を停止させる制御を行っている。即ち、制御用マイコンは、クロマＩＣやフライバックトランス１５を一定時間の経過を待つことなく停止させる。
【００８２】
このように、テレビ受像機２０の制御用マイコンは、電源オフを検出すると、直ちに動作を停止させる制御を行い、複雑な制御手順を実行しなくともよい。
【００８３】
また、テレビ受像機２０によると、従来のテレビ受像機に設けられたスポット残りを防止するための回路を設けなくともよい。図３は、テレビ受像機２０のカソード側の回路を示す図である。
【００８４】
図３において、２１は陰極線管であり、２２は陰極線管のカソードである。２３は映像信号増幅回路である。陰極線管２２は、図示されないアノードを備えており、アノードには図３に図示されないアノード用高電圧ケーブル１７が接続されている。
【００８５】
映像信号増幅回路２３には、図示されないクロマＩＣにより処理された色信号（Ｒ、Ｇ、Ｂ）からなる映像信号が入力される。そして、映像信号増幅回路２３より出力された色信号の各々は、対応するカソード２２の各々に入力される。
【００８６】
図３に示されるように、陰極線管２１のカソード２２にはスポット残りを防止するための回路は接続されていない。従って、このテレビ受像機２０によると、陰極線管のカソードにスポット残りを防止する回路が接続された従来のテレビ受像機に比べて、回路構成が簡潔にされている。
【００８７】
以上に説明したテレビ受像機２０では、陰極線管のアノードを接地するためのアノード接地用スイッチング手段１０をフライバックトランス１５の本体ケース内の高電圧線路７に設ける例により説明した。アノード接地用スイッチング手段１０を設ける箇所は、フライバックトランス１５外であってもよい。
【００８８】
即ち、アノード接地用スイッチング手段１０は、陰極線管のアノードに高電圧を供給するための高電圧側線路のいずれかの箇所に設けることができる。アノード接地用スイッチング手段１０を、アノード用高圧ケーブル１７のいずれかの箇所と接地との間に設けることもできる。
【００８９】
ただし、アノード接地用スイッチング手段１０をフライバックトランス１５の本体ケース内に設けると、フライバックトランス１５の本体ケースによりアノード接地用スイッチング手段１０を収納できる。
【００９０】
これにより、アノード接地用スイッチング手段１０を収納する専用のケーシングを必要とせず、アノード接地用スイッチング手段１０を収納する機構をコンパクトにできる。
【００９１】
また、以上の説明では、アノード接地用スイッチング手段１０をリレースイッチング素子５とリレー制御トランジスタ４とを備える構成とした。アノード接地用スイッチング手段１０を構成するにあたり、リレースイッチング素子５を設けると以下の利点がある。
【００９２】
陰極線管のアノードに接続され該アノードを接地するための回路には、高電圧が印加され、また大電流が導通する。そして、リレースイッチング素子５のリレースイッチ５ａは高電圧や大電流に対する耐久性が高い。従って、陰極線管のアノードと接続される回路をリレースイッチ５ａによって構成することにより、高電圧が印加され、大電流が導通するアノード接地用スイッチング手段１０の耐久性を高めることができる。
【００９３】
また、アノード接地用スイッチング手段を、リレースイッチング素子５を設けることなく、一つのパワー半導体スイッチング素子により構成することもできる。例えば、アノード接地用スイッチング手段を、一つのパワートランジスタ又はパワーＦＥＴ等のパワー半導体スイッチング素子により構成する。
【００９４】
そして、このパワー半導体スイッチング素子を、制御用マイコンよりスイッチオン信号が出力されるとオンされるように設け、このオンされたパワー半導体スイッチング素子を介して陰極線管のアノードが接地されるように設けることができる。
【図面の簡単な説明】
【００９５】
【図１】本発明の一実施形態であるテレビ受像機の一部の回路を示す図である。
【図２】制御用マイコンの動作等を表すタイミングチャートである。
【図３】本発明の一実施形態のテレビ受像機の陰極線管のカソード周辺の回路を示す図である。
【図４】従来のテレビ受像機に設けられたスポット残り防止回路を示す図である。
【図５】図４に示されるテレビ受像機の制御用マイコンの動作等を表すタイミングチャートである。
【符号の説明】
【００９６】
１    内部トランス
１ａ  一次側入力部
１ｂ  二次側出力部
１ｃ  高電圧端子
１ｄ  低電圧端子
２    スイッチング制御信号入力端子
３    アノード用出力端子
４    リレー制御トランジスタ
５    リレースイッチング素子
５ａ  リレースイッチ
５ｂ  リレーコイル
５ｃ  リレースイッチの一方の端子
５ｄ  リレースイッチの他方の端子
５ｅ  リレーコイルの一方の端子
５ｆ  リレーコイルの他方の端子
５ｇ  コンタクト要素
６    リレー駆動入力用端子
７    高電圧線路
８    低電圧線路
９    ダイオード
１０    アノード接地用スイッチング手段
１１    ダイオード
１２    フォーカス端子
１３    スクリーン端子
１５    フライバックトランス
１６    入力制御トランジスタ
１７    アノード用高電圧ケーブル
２０    テレビ受像機
２１    陰極線管
２２    カソード
２３    映像信号増幅回路
【図１】
2005064884.tif 000003
【図２】
2005064884.tif 000004
【図３】
2005064884.tif 000005
【図４】
2005064884.tif 000006
【図５】
2005064884.tif 000007